(57)【要約】【課題】降雨時に、内側継手と外側継手の段差部の隙間からの雨水の侵入を防止するとともに、降雨後に雨水の滴下を防止することが可能な伸縮継手を提供する。【解決手段】互いに長手方向に摺動可能に嵌合された外側継手２と内側継手３とを備え、各々に軒樋接続部４１、４２を有する伸縮継手１であって、前記内側継手の前記軒樋接続部の長手方向反対側の段差部３３の端部には、長手方向に突出する突出部５が延設され、前記突出部には、突出部端部から起立する突出部止水板５１と、突出部止水板の内側部から下方に垂下する流水部５２が設けられている。【選択図】図１
2018119347.tif 000002
【特許請求の範囲】
【請求項１】
互いに長手方向に摺動可能に嵌合された外側継手と内側継手とを備え、各々に軒樋接続部を有する伸縮継手であって、
前記内側継手の前記軒樋接続部の長手方向反対側の段差部の端部には、長手方向に突出する突出部が延設され、
前記突出部には、突出部端部から起立する突出部止水板と、前記突出部止水板の内側部から下方に垂下する流水部が設けられていることを特徴とする伸縮継手。
【請求項２】
前記突出部の下部に位置する外側継手の段差部に、前記外側継手の段差部から起立して、前記外側継手の段差部と前記突出部の隙間を塞ぐ段差部止水板が設けられていることを特徴とする請求項１に記載の伸縮継手。
【発明の詳細な説明】
【技術分野】
【０００１】
本発明は、伸縮継手に関する。
【背景技術】
【０００２】
近年、建物の軒先に取り付ける軒樋には合成樹脂製のものが多く用いられている。この合成樹脂製の軒樋は熱膨張係数が大きいため、気温の変化等に伴う軒樋の長手方向の伸縮により、軒樋自身が変形したり破損するといった問題があった。
【０００３】
そこで、気温の変化等に伴う軒樋の伸縮を逃がすために、軒樋の中間部に接続する伸縮可能な伸縮継手が提案されている。この伸縮継手は、外側継手と内側継手が互いに摺動可能に接合されており、内側継手と外側継手が摺動することによって伸縮継手自体が軒樋の伸縮量を吸収して調整するようになっている。
【０００４】
一方、降雨時に軒樋を流れる雨水は、軒樋に接続された上記の伸縮継手にも流入するが、伸縮継手に雨水が流入した際、摺動可能に接合された内側継手と外側継手の接合部の隙間に雨水が侵入して、伸縮継手の外部に漏れ出るという問題があった。
【０００５】
このような問題に対して、これまでに、内側継手と外側継手との間にパッキン材を設けて、雨水の外部への漏れを防止するとともに、内側継手と外側継手とを摺動可能とする伸縮継手が提案されている（例えば特許文献１を参照）。この提案によれば、内側継手と外側継手との間の底部及び側面に、水密性を有するパッキン材を設けることにより、内側継手と外側継手との間から侵入した雨水をパッキン材で堰き止めて、雨水が伸縮継手から外部に漏れ出るのを防止するようにしている。
【先行技術文献】
【特許文献】
【０００６】
【特許文献１】特開平５−３２１４１９号公報
【発明の概要】
【発明が解決しようとする課題】
【０００７】
しかしながら、特許文献１の伸縮継手では、内側継手と外側継手との嵌合部全域に亘ってパッキン材を設けることができていない。これは、伸縮継手の組み立て時に内側継手と外側継手の嵌合を容易にするために、また、軒樋との接続を容易にするために、内側継手と外側継手の上端縁部付近に隙間を設けた段差部が形成されており、その段差部の形状が複雑であることが原因であった。
【０００８】
そのため、軒樋の耳部に沿って伸縮継手に流入した雨水や、伸縮継手の底部からの水撥ねによる雨水が、内側継手と外側継手の段差部の隙間から侵入し、パッキン材を越えて、流入側とは反対側から雨水が伸縮継手の外部に漏れるという問題があった。また、降雨後には、内側継手と外側継手の段差部の隙間に溜まった雨水が滴下するという問題もあった。
【０００９】
本発明は、上記従来の問題点に鑑みてなされたものであり、降雨時に、内側継手と外側継手の段差部の隙間からの雨水の侵入を防止するとともに、降雨後に、雨水の滴下を防止することが可能な伸縮継手を提供することを課題とする。
【課題を解決するための手段】
【００１０】
本発明は、上記の課題を解決するために、以下のことを特徴としている。
【００１１】
すなわち、本発明の伸縮継手は、互いに長手方向に摺動可能に嵌合された外側継手と内側継手とを備え、各々に軒樋接続部を有する伸縮継手であって、前記内側継手の前記軒樋接続部の長手方向反対側の段差部の端部には、長手方向に突出する突出部が延設され、前記突出部には、突出部端部から起立する突出部止水板と、前記突出部止水板の内側部から下方に垂下する流水部が設けられていることを特徴とする。
【発明の効果】
【００１２】
本発明によれば、降雨時に、内側継手と外側継手の段差部の隙間からの雨水の侵入を防止するとともに、降雨後に、雨水の滴下を防止することが可能な伸縮継手を提供することができる。
【図面の簡単な説明】
【００１３】
【図１】本発明の伸縮継手の一実施形態を示す概略斜視図である。
【図２】突出部の一実施形態を示す一部拡大斜視図である。
【図３】伸縮継手の両端に軒樋を接続した状態を示す概略断面図である。
【図４】段差部止水板の位置を示す一部切り欠き拡大図である。
【図５】突出部止水板と流水部と段差部止水板の位置関係を示す一部拡大図である。
【発明を実施するための形態】
【００１４】
本発明の伸縮継手について図面に基づいて以下に詳述する。図１は、本発明の伸縮継手の一実施形態を示す概略斜視図であり、図２は、突出部の一実施形態を示す一部拡大斜視図である。また、図３は、伸縮継手の両端に軒樋を接続した状態を示す概略断面図である。
【００１５】
本実施形態の伸縮継手１は、互いに長手方向に摺動可能に嵌合された外側継手２と内側継手３とを備え、各々に軒樋接続部４１、４２を有している。
【００１６】
また、内側継手３の軒樋接続部４２の長手方向反対側の段差部３３の端部には、長手方向に突出する突出部５が延設され、突出部５には、突出部５端部から起立する突出部止水板５１と、突出部止水板５１の内側部から下方に垂下する流水部５２が設けられている。
【００１７】
本実施形態の伸縮継手１では、外側継手２の内側に内側継手３が嵌合されており、長手方向に摺動可能に形成されている。具体的には、外側継手２の上端縁部２１の下部の側壁部２２から内側に向けて外側継手２の段差部２３が設けられている。そして、外側継手２の内側に内側継手３を嵌合させた状態において、外側継手２の段差部２３の上面部と間隔をおいて内側継手３の上端縁部３１の下部の側壁部３２から内側に向けて内側継手３の段差部３３が設けられている。
【００１８】
また、外側継手２の上端縁部２１の中央部付近には、内側継手３の上端縁部３１を上方から覆うように内側に向けて突出した押さえ辺２４が設けられている。押さえ辺２４は、内側継手３が外側継手２から上方に外れないようにするためのストッパーの役目を果たしており、これにより、外側継手２から内側継手３が外れることなく、長手方向に摺動可能としている。
【００１９】
外側継手２の端部には、軒樋６を接合するための軒樋接続部４１が形成されている。軒樋接続部４１は、外側継手２の上端縁部２１の端部に軒樋６の耳部６１と嵌合可能な軒樋固定爪４１１が形成されている。また、軒樋接続部４１の内面には軒樋受け部４１２が形成されており、軒樋受け部４１２により軒樋接続部４１に接続した軒樋６の端部を受けて位置決めできるようになっている。
【００２０】
また、内側継手３の端部にも外側継手２と同様に、軒樋６を接合するための軒樋接続部４２が形成されている。軒樋接続部４２は、内側継手３の上端縁部３１の端部に軒樋６の耳部６１と嵌合可能な軒樋固定爪４２１が形成されている。また、軒樋接続部４２の内面には軒樋受け部４２２が形成されており、軒樋受け部４２２により軒樋接続部４２に接続した軒樋６の端部を受けて位置決めできるようになっている。
【００２１】
即ち、軒樋固定爪４１１、４２１に軒樋６の耳部６１を嵌合させ、軒樋受け部４１２、４２２で軒樋６の端部を受けることにより、軒樋６と伸縮継手１の接続が可能となっている。これにより、長尺の軒樋６の中間部に伸縮継手１を配設することができる。
【００２２】
本実施形態の伸縮継手１では、外側継手２と内側継手３と重なる位置の外側継手２の底部及び側面部に、水密性を有するパッキン材７を設けることができる。
【００２３】
パッキン材７の配設位置は、外側継手２と内側継手３とが重なる位置であれば特に限定されるものではなく、例えば、図３に示すように、外側継手２の長手方向に対して直角方向に、一定の幅を有するパッキン材７を配設することができる。パッキン材７の材質としては、水密性を有し、比較的経時的な劣化が少ない材料であれば特に限定されるものではなく、例えば、柔軟性を有する樹脂材料や、シリコンゴム等のゴム材料を好適に用いることができる。パッキン材７を設けることにより、底部及び側面部を隙間なく密着させることができるとともに、外側継手２と内側継手３の摺動を可能にすることができ、接続された軒樋を通して伸縮継手１の底部に流入した雨水の外部への漏れを防止することができる。
【００２４】
また、本実施形態の伸縮継手１において、内側継手３に設けられた突出部５は、内側継手３の軒樋接続部４２の長手方向反対側で、段差部３３の端部に、側壁部３２と段差部３３が延長される形で一体に設けられている。段差部３３は、内側継手３に軒樋６を接続したときに、軒樋６の耳部６１の上側の面とほぼ同じ高さとなる位置に設けられた面である。
【００２５】
突出部５の長手方向の長さは特に限定されるものではなく、段差部３３の上を流れる雨水の量や、軒樋６の伸縮に伴う外側継手２と内側継手３の摺動量等を考慮して適宜決定することができる。また、突出部５の幅は外側継手２の段差部２３の幅と一致しており、上面視において外側継手２の段差部２３の一部を覆う幅に設定されている。
【００２６】
また、突出部５には、突出部止水板５１と流水部５２が設けられている。突出部止水板５１は、突出部５端部から上方に向けて起立して設けられており、突出部止水板５１の幅は突出部５の幅に設定されている。即ち、突出部止水板５１は、突出部５を形成する側壁部３２と段差部３３の２辺に接続されて起立して一体に形成されている。
【００２７】
流水部５２は、突出部止水板５１の内側部と突出部５の内側部から下方に向けて垂下して一体に設けられている。流水部５２の幅は、突出部５の突出長さと一致しており、垂下長さは、外側継手２の段差部２３まで達する長さとなっている。
【００２８】
上記のような構造の突出部５を設けることにより、例えば、軒樋６の耳部６１の上側を伝って内側継手３の段差部３３を流れてきた雨水は、突出部５に到達して突出部５端部の突出部止水板５１により堰き止められ、内側に流れ方向を変える。そして、流れ方向を変えた雨水は、突出部５の内側部から垂下して設けられた流水部５２に沿って底部に流れる。
【００２９】
これにより、パッキン材７を伸縮継手１の底部に設け、側部には設けないような場合でも、外側継手２の段差部２３と内側継手３の段差部３３の隙間から雨水が侵入するのを防止することができる。また、流水部５２を設けたことにより、伸縮継手１の底部から撥ねた雨水が外側継手２の段差部２３と突出部５の側部の隙間から侵入するのを防止することが可能となる。
【００３０】
さらに、本実施形態の伸縮継手１では、突出部５の下部に位置する外側継手２の段差部２３に、外側継手２の段差部２３から起立して、外側継手２の段差部２３と突出部５の隙間を塞ぐ段差部止水板５３を設けるのが好ましい。
【００３１】
図４に、段差部止水板５３の位置を示す一部切り欠き拡大図を示し、図５に、突出部止水板５１と流水部５２と段差部止水板５３の位置関係を示す一部拡大図を示す。図４、図５に示す実施形態では、段差部止水板５３は、外側継手２の段差部２３から起立するように一体に設けられており、幅は外側継手２の段差部２３の幅に設定されている。即ち、段差部止水板５３は、外側継手２の側壁部２２と段差部２３の２辺に接続されて起立して一体に形成されている。また、段差部止水板５３の高さは、外側継手２の段差部２３と突出部５の間の隙間の高さに設定されている。
【００３２】
これにより、段差部止水板５３が、外側継手２の段差部２３と突出部５の間の隙間を塞ぐ形となり、例えば、降雨時に、軒樋６の耳部６１の上側を伝って外側継手２の段差部２３を流れてきた雨水が、外側継手２の段差部２３と内側継手３の段差部３３の隙間から侵入するのを防止することが可能となる。
【００３３】
即ち、雨水が外側継手２の段差部２３を流れてパッキン材７を超え、流入側とは反対の段差部２３から伸縮継手１の外部に流れ出るのを防止することができる。また、上記の効果のほか、降雨後には、外側継手２の段差部２３と内側継手３の段差部３３の間に雨水が残らないため、伸縮継手１からの雨水の滴下を防止することが可能となる。
【００３４】
以上、実施形態に基づき本発明の伸縮継手１を説明したが、本発明は上記の実施形態に何ら限定されるものではなく、その要旨を逸脱しない範囲内において各種の変更が可能である。
【００３５】
例えば、上記実施形態では、突出部５に設ける突出部止水板５１と流水部５２を突出部５と一体に形成したが、突出部止水板５１や流水部５２を別に成形して、突出部５に取り付け固定してもよい。
【００３６】
また、上記実施形態では、外側継手２の段差部２３に設けた段差部止水板５３を段差部と一体に形成したが、段差部止水板５３を水密性を有する部材で別に成形して、段差部に取り付け固定してもよい。
【００３７】
これにより、外側継手２の段差部２３と突出部５の隙間を密着して塞ぐことが可能となり、より確実に雨水の侵入を防止することが可能となる。
【符号の説明】
【００３８】
１  伸縮継手
２  外側継手
２２  外側継手の側壁部
２３  外側継手の段差部
３  内側継手
３２  内側継手の側壁部
３３  内側継手の段差部
４１、４２  軒樋接続部
４１１、４１２  軒樋固定爪
４１２、４２２  軒樋受け部
５  突出部
５１  突出部止水板
５２  流水部
５３  段差部止水板
６  軒樋
６１  耳部
【図１】
2018119347.tif 000003
【図２】
2018119347.tif 000004
【図３】
2018119347.tif 000005
【図４】
2018119347.tif 000006
【図５】
2018119347.tif 000007